(57)【要約】  ヒューズ（４１）の誤取付を防止できる電気機器を提供する。ＰＣＵは、表面を有する筐体を備える。筐体の内部にヒューズ収容空間（４０）が形成されており、ヒューズ収容空間（４０）は表面に形成された開口部において筐体の外部と連通する。ＰＣＵはさらに、開口部を覆うカバー部材（３０）と、ヒューズ収容空間（４０）内に収容された過電流防止用のヒューズ（４１）と、を備える。カバー部材（３０）は、開口部を閉塞させるカバー本体（３５）と、カバー本体（３５）に対してヒューズ収容空間（４０）の内部へ突起する突起部（３１）と、を含む。突起部（３１）は、ヒューズ（４１）をヒューズ収容空間（４０）内で誤って組み付けたとき、ヒューズ（４１）と干渉する。
2012070146.tif 000002
【特許請求の範囲】
【請求項１】
表面（２１）を有する筐体（２０）を備え、前記筐体（２０）の内部に空間（４０）が形成されており、前記空間（４０）は前記表面（２１）に形成された開口部（２２）において前記筐体（２０）の外部と連通し、さらに、
前記開口部（２２）を覆うカバー部材（３０）と、
前記空間（４０）内に収容された過電流防止用のヒューズ（４１）と、を備え、
前記カバー部材（３０）は、前記開口部（２２）を閉塞させるカバー本体（３５）と、前記カバー本体（３５）に対して前記空間（４０）の内部へ突起する突起部（３１）と、を含み、
前記突起部（３１）は、前記ヒューズ（４１）を前記空間（４０）内で誤って組み付けたとき、前記ヒューズ（４１）と干渉する、電気機器（１）。
【請求項２】
前記カバー本体（３５）と前記突起部（３１）とは、金属製の一体成形品である、請求の範囲第１項に記載の電気機器（１）。
【請求項３】
前記カバー本体（３５）は、平板状に形成されており、
前記突起部（３１）は、前記カバー本体（３５）の外面（３６）側から内面（３７）側へ窪んで形成されている、請求の範囲第２項に記載の電気機器（１）。
【請求項４】
前記筐体（２０）は、前記表面（２１）が水平面（１００）に対して第一の角度（α）を有して傾斜するように配置されており、
前記突起部（３１）は、前記カバー本体（３５）の前記外面（３６）側から前記内面（３７）側へ窪む窪み形状の底面を構成する窪み底面（３２）を有し、
前記窪み底面（３２）は、前記筐体（２０）の傾斜の下側で前記カバー本体（３５）と接合し、前記カバー本体（３５）に対して第二の角度（β）を有して傾斜しており、
前記第二の角度（β）は、前記第一の角度（α）よりも小さい、請求の範囲第３項に記載の電気機器（１）。
【発明の詳細な説明】
【技術分野】
【０００１】
本発明は、電気機器に関し、特に、過電流保護用のヒューズを備える電気機器に関する。
【背景技術】
【０００２】
ヒューズを備える電気機器に関し、従来、種々の技術が提案されている。たとえば、特開２００５−１５３８２７号公報（特許文献１）では、車両用蓄電装置において、バッテリの側面に結合されたベースプレートのバッテリ側の側面に凹部を設け、この凹部にメインスイッチとメインヒューズを収容配置する構成が開示されている。また特開平９−１４８７５３号公報（特許文献２）では、電気機器の筐体の製造方法に関し、固定型の凸部の上面に、プリント配線板に実装された温度ヒューズを収容するための逃げ凹部が形成されており、この逃げ凹部の開口周縁はプリント配線版の下面に接している構成が開示されている。また実開平５−１１４２１号公報（特許文献３）では、表側カバーのフランジの一方の端部を水平方向外側に延接して廂部分を形成し、この廂部分の上部に温度ヒューズを取り付ける構成とした、インバータ用トランスが開示されている。【０００３】
また、電気部品収容ボックスの排水構造に関し、特開２００４−４８８５８号公報（特許文献４）には、ボックスの底壁に排水口を設けると共に、該排水口に連続した切欠部を設け、底壁の外面側に排水口の周縁に向けて薄肉となる傾斜部を設け、該傾斜部に水引き溝を設けている構成が開示されている。
【先行技術文献】
【特許文献】
【０００４】
【特許文献１】特開２００５−１５３８２７号公報
【特許文献２】特開平９−１４８７５３号公報
【特許文献３】実開平５−１１４２１号公報
【特許文献４】特開２００４−４８８５８号公報
【発明の概要】
【発明が解決しようとする課題】
【０００５】
電気回路に定格以上の電流が流れヒューズが溶断した後に電気回路を再起動するためには、溶断したヒューズを交換する必要がある。このヒューズの交換は、電気機器に設けられたヒューズを収容するための収容空間から溶断したヒューズを取り外し、新品のヒューズを当該収容空間に取り付けることにより、行なわれる。このとき、新品のヒューズが、収容空間内に誤って上下逆に組み付けられてしまう場合がある。【０００６】
ヒューズの収容空間を覆うカバーが設けられている場合、ヒューズが逆姿勢で組みつけられてしまうと、カバーとヒューズとの間の空間絶縁距離が確保できなくなり、短絡してしまう問題があった。【０００７】
本発明は上記の問題に鑑みてなされたものであり、その主たる目的は、ヒューズの誤取付を防止できる電気機器を提供することである。
【課題を解決するための手段】
【０００８】
本発明に係る電気機器は、表面を有する筐体を備える。筐体の内部に空間が形成されており、空間は表面に形成された開口部において筐体の外部と連通する。電気機器はさらに、開口部を覆うカバー部材と、空間内に収容された過電流防止用のヒューズと、を備える。カバー部材は、開口部を閉塞させるカバー本体と、カバー本体に対して空間の内部へ突起する突起部と、を含む。突起部は、ヒューズを空間内で誤って組み付けたとき、ヒューズと干渉する。【０００９】
上記電気機器において好ましくは、カバー本体と突起部とは、金属製の一体成形品である。【００１０】
上記電気機器において好ましくは、カバー本体は、平板状に形成されており、突起部は、カバー本体の外面側から内面側へ窪んで形成されている。【００１１】
上記電気機器において好ましくは、筐体は、表面が水平面に対して第一の角度を有して傾斜するように配置されている。突起部は、カバー本体の外面側から内面側へ窪む窪み形状の底面を構成する窪み底面を有する。窪み底面は、筐体の傾斜の下側でカバー本体と接合し、カバー本体に対して第二の角度を有して傾斜している。第二の角度は、第一の角度よりも小さい。
【発明の効果】
【００１２】
本発明の電気機器によると、電気機器へのヒューズの誤取付を防止することができる。
【図面の簡単な説明】
【００１３】
【図１】本実施の形態の電気機器の一例の構成を示す斜視図である。
【図２】図１に示すカバー部材の一部を拡大して示す斜視図である。
【図３】カバー部材がヒューズ収容空間を覆う状態を示す断面図である。
【図４】ヒューズが上下逆に取り付けられた状態を示す断面図である。
【図５】カバー部材が水平面に対して傾斜して配置された状態を示す断面図である。
【図６】図５に示すカバー部材の突起部に液滴が浸入する例を示す断面図である。
【発明を実施するための形態】
【００１４】
以下、図面に基づいてこの発明の実施の形態を説明する。なお、以下の図面において、同一または相当する部分には同一の参照番号を付し、その説明は繰返さない。
【００１５】
図１は、本実施の形態の電気機器の一例の構成を示す斜視図である。図１には、電気機器の一例として、車両に搭載されるＰＣＵ（Ｐｏｗｅｒ  Ｃｏｎｔｒｏｌ  Ｕｎｉｔ）１が図示されている。ＰＣＵ１は、筐体２０の内部に、ＭＧ（Ｍｏｔｏｒ  Ｇｅｎｅｒａｔｏｒ）−ＥＣＵ（Ｅｌｅｃｔｒｏｎｉｃ  Ｃｏｎｔｒｏｌ  Ｕｎｉｔ）１１と、インバータと、昇圧コンバータと、ＤＣ（Ｄｉｒｅｃｔ  Ｃｕｒｒｅｎｔ）−ＤＣコンバータ１５と、を一体として含む。インバータと昇圧コンバータとは、主に、走行用および昇圧用のＩＰＭ（Ｉｎｔｅｌｌｉｇｅｎｔ  Ｐｏｗｅｒ  Ｍｏｄｕｌｅ）１２と、リアクトル１３と、コンデンサ１４と、で構成されている。
【００１６】
ＭＧ−ＥＣＵ１１は、制御装置からの出力要求値に従い、インバータおよび昇圧コンバータの制御を行なう。昇圧コンバータは、バッテリ電圧を昇圧し、モータジェネレータを高電圧で駆動する。インバータは、昇圧コンバータで昇圧された高電圧直流電流をモータジェネレータへ供給するために、交流電流へ変換する。またインバータは、モータジェネレータがジェネレータとして作動した場合、発電された交流電流を直流電流へ変換する。ＤＣ−ＤＣコンバータ１５は、バッテリの電圧を降圧し、補機類や補機バッテリへ供給する。
【００１７】
筐体２０の表面２１には、開口部２２が形成されている。筐体２０の内部には、ヒューズ４１を収容するためのヒューズ収容空間４０（図１には不図示）が形成されており、このヒューズ収容空間４０は開口部２２を介して筐体２０の外部と連通している。筐体２０の表面２１にはさらに開口部２３，２４および２５が形成されている。これらの開口部２２，２３，２４および２５は、カバー部材３０によって覆われる。ＰＣＵ１が車両に搭載される使用状態では、カバー部材３０は筐体２０に固定され、筐体２０の内部を封止する。メンテナンス時にカバー部材３０が筐体２０から取り外されることで、たとえばヒューズ収容空間４０内のヒューズ４１を交換するなど、ＰＣＵ１のメンテナンスを行なうことが可能になる。
【００１８】
カバー部材３０には、取り付け状態を検知するインターロックスイッチ１６が設けられている。ＰＣＵ１へのパワーケーブル入力部にもまた、インターロックスイッチ１７が設けられている。インターロックスイッチ１６，１７は、カバー部材３０を筐体２０から取り外す、またはパワーケーブルを切り離すとＯＦＦとなり、システムメインリレーを遮断する。
【００１９】
ＰＣＵ１を冷却するための水冷装置が設けられている。この水冷装置に冷却水を供給する冷却水入口１８と、水冷装置から排水する冷却水出口１９とが、筐体２０に取り付けられている。走行用および昇圧用のＩＰＭ１２を水冷装置により直接冷却する構造とし、ＩＰＭ１２の作動時の放熱性を高めることで、ＰＣＵ１の小型化が達成されている。
【００２０】
図２は、図１に示すカバー部材３０の一部を拡大して示す斜視図である。図３は、カバー部材３０がヒューズ収容空間４０を覆う状態を示す断面図である。図３に示す状態で、カバー部材３０は、筐体２０の表面２１に固定されており、筐体２０の表面２１に形成された開口部２２（図１参照）を閉塞させている。そのため、図３に示す状態では、ヒューズ収容空間４０と筐体２０の外部とは、カバー部材３０によって隔てられ、互いに連通しない非連通状態とされている。
【００２１】
図２および図３に示すように、カバー部材３０は、カバー本体３５と、カバー部材３０の一部がカバー本体３５に対してヒューズ収容空間４０の内部へ突起する突起部３１と、を含む。カバー本体３５は、平板状に形成されている。平板状のカバー本体３５は、筐体２０の外部空間側の外面３６と、ヒューズ収容空間４０に面する内面３７と、を有する。突起部３１は、平板状のカバー本体３５の外面３６側から内面３７側へ窪むように形成されている。
【００２２】
図１を参照して説明したように、ＰＣＵ１はその筐体２０の内部に、インバータなどの電磁波を発生する機器類を収容する。当該機器類で発生した電磁波を外部へ漏洩させないためには、機器類を導電体の板部材で囲繞する電磁波シールドルームを形成し、電磁波の伝播を遮断する必要がある。カバー部材３０を樹脂成型品とした場合、筐体２０に形成されている開口部２２において電気的に貫通孔が形成されている状態となり、当該貫通孔を経由して電磁波が外部へ漏洩してしまう。そこで、筐体２０の内部から外部への電磁波の漏洩を抑制するために、カバー部材３０を構成するカバー本体３５と突起部３１とは、金属製の一体成形品として形成される。
【００２３】
カバー本体３５と突起部３１とは、たとえば鋼板にプレス加工などの任意の塑性加工を施すことで、一体成形することができる。突起部３１を有するカバー部材３０に対応する形状の金型を準備し、その金型を使用してプレス加工すれば、加工精度よくカバー部材３０を形成できるので品質において優れる。また、突起部３１を有するカバー部材３０を形成するために追加の材料を必要とせず、溶接などの追加の製造工程も必要としないので、製造コストを増加させることなく突起部３１を形成することができる。プレス加工により鋼板の外面３６を押圧して突起部３１を形成した結果、突起部３１は、カバー本体３５の外面３６側から見た場合にカバー本体３５の外面３６側から内面３７側へ窪む形状を有するように、形成されている。
【００２４】
突起部３１は、カバー本体３５の外面３６側から内面３７側へ窪む窪み形状の底面を構成する窪み底面３２と、当該窪み形状の内壁面を形成する側面３３と、を有する。側面３３は、平板状のカバー本体３５と略直交する方向に延びて形成されている。窪み底面３２は、カバー本体３５と境界部３９において接合し、側面３３と境界部３８において接合する。窪み底面３２の周縁は、境界部３８と境界部３９とによって形成される。
【００２５】
図２に示すように、直線状に延びる境界部３９がカバー本体３５と窪み底面３２との境界を形成し、Ｃ字状に延びる境界部３８が側面３３と窪み底面３２との境界を形成する。窪み底面３２は、その周縁の一部が境界部３９においてカバー本体３５に直接連接されており、周縁の他の部分が境界部３８において側面３３に連接されている。境界部３８は、側面３３のカバー本体３５から離れる側の端部に設けられる。その結果、窪み底面３２は、カバー本体３５の面方向に対して所定の角度を有して傾斜して配置されている。
【００２６】
図３を参照して、筐体２０の内部に形成された空間の一例としてのヒューズ収容空間４０の内部には、許容値よりも大きい電流が流れた場合に溶断されるヒューズ４１が収容されている。ヒューズ４１は、過大な電流が流れた際に低融点の金属でできた可溶体が溶断することによって電流を遮断する、過電流防止用の素子である。
【００２７】
ヒューズ４１は、その本体から外側へ延びる二つの接続部４２，４３を有する。ヒューズ４１に近接して配置された端子４６と接続部４２とが接触し、取付ボルト４４によって固定されることにより、ヒューズ４１と端子４６とは電気的に接続される。ヒューズ４１に近接して配置された端子４７と接続部４３とが接触し、取付ボルト４５によって固定されることにより、ヒューズ４１と端子４７とは電気的に接続される。端子４６，４７は、たとえばインバータに接続される電気回路の一部を構成する。取付ボルト４４，４５が接続部４２，４３を固定することにより、ヒューズ収容空間４０内にヒューズ４１が固定される。
【００２８】
以上のような構成を備えるＰＣＵ１における、ヒューズ４１の交換作業について説明する。ヒューズ４１が溶断すると、次にＰＣＵ１を再起動するためには、溶断したヒューズ４１を新品のヒューズ４１と交換しなければならない。この場合、筐体２０からカバー部材３０を取り外してヒューズ収容空間４０を露出させた後に、取付ボルト４４，４５を緩めてヒューズ４１の固定を解除し、ヒューズ収容空間４０から溶断したヒューズ４１を取り外す。その後、新品のヒューズ４１の接続部４２，４３を取付ボルト４４，４５によって固定することにより、新品のヒューズ４１がヒューズ収容空間４０内に取り付けられる。最後にカバー部材３０が閉じられて筐体２０に取り付けられる。このようにして、ヒューズ４１の交換作業が行なわれる。
【００２９】
ヒューズ収容空間４０へのヒューズ４１の取り付けは、取付ボルト４４，４５を使用してねじ止めされることにより行なわれる。このとき、ヒューズ収容空間４０内に、新品のヒューズ４１が誤って逆姿勢で配置され、取付ボルト４４，４５によって上下逆に組み付けられてしまう場合がある。
【００３０】
本実施の形態では、カバー部材３０は、ヒューズ収容空間４０の内部へ突起する突起部３１を有する。ヒューズ４１をヒューズ収容空間４０内で誤って組み付けた場合に、カバー部材３０を筐体２０に取り付けようとすると、突起部３１がヒューズ４１と干渉するので、カバー部材３０を閉じることができなくなる。そのため、ヒューズ４１の交換作業を行なう作業者は、ヒューズ４１が誤組付されたことを確実に認識でき、ヒューズ４１を適切に組み付け直すことができる。したがって、ヒューズ４１が逆姿勢で組みつけられてカバー部材３０とヒューズ４１との間に短絡が発生する不具合を、確実に防止するすることができる。
【００３１】
図４は、ヒューズ４１が上下逆に取り付けられた状態を示す断面図である。図３と図４とを比較して、ヒューズ４１が適切に組み付けられた図３では、ヒューズ４１の本体は、接続部４２，４３に対しカバー部材３０から離れる下側に配置される。これに対し、ヒューズが誤って組み付けられた図４では、ヒューズ４１の本体は、接続部４２，４３に対しカバー部材３０に近接する上側に配置されている。上述した通り、図３に示すカバー部材３０は、筐体２０の表面２１に固定された状態を示し、図４に二点鎖線で示されるカバー部材３０は、図３と同様の、筐体２０の表面２１に固定された場合のカバー部材３０の配置を示す。
【００３２】
図４に示すヒューズ４１がヒューズ収容空間４０内に誤組付された状態で、仮にカバー部材３０が筐体２０に通常通り取り付けられたとすると、図４の二点鎖線の通り、突起部３１がヒューズ４１に干渉する。そのため実際には、カバー部材３０を筐体２０に取り付けることができない。したがって、ヒューズ４１の交換作業時にヒューズ４１が誤組付された場合に、作業者に誤組付を確実に認識させ組み付け状態を修正させることができるので、確実にヒューズ４１の逆取り付けを防止することができる。
【００３３】
次に、ＰＣＵ１の配置と突起部３１の形状との関係について説明する。図５は、カバー部材３０が水平面に対して傾斜して配置された状態を示す断面図である。図５に示す状態で、筐体２０は、その表面２１が水平面１００に対して第一の角度αを有して傾斜するように、配置されている。そのため、筐体２０の表面２１に取り付けられたカバー部材３０もまた、平板状のカバー本体３５が水平面１００に対して角度αを有して傾斜している。カバー本体３５の面方向と、水平面１００とは、角度αを形成している。
【００３４】
カバー本体３５が水平面１００に対して傾斜して配置されたカバー部材３０は、突起部３１の窪み底面３２が筐体２０の傾斜の下側でカバー本体３５と接合するように配置されている。窪み底面３２は、平板状のカバー本体３５の外面３６側から内面３７側へ窪んだ窪み形状の底面を構成する。この窪み底面３２の周縁のうち、窪み底面３２とカバー本体３５の接合位置である境界部３９が、カバー本体３５の傾斜における最も下側に位置するように、カバー部材３０は配置される。
【００３５】
図５に示す窪み底面３２は、平板状の形状に形成されている。ここで、平板状に形成された窪み底面３２の面方向と、平板状のカバー本体３５の面方向とは、第二の角度βを形成する。窪み底面３２は、カバー本体３５に対して角度βを有して傾斜している。図５に示すように、カバー本体３５と窪み底面３２とは、境界部３９において角度βを形成して交差している。
【００３６】
筐体２０の表面２１が水平面に対して傾斜する角度αと、窪み底面３２がカバー本体３５に対して傾斜する角度βと、を比較すると、角度βは角度αよりも小さくなっている。たとえば、ＰＣＵ１が水平面１００に対して１８°の角度を有して傾斜するように車両に搭載される場合、窪み底面３２がカバー本体３５に対して傾斜する角度が１８°未満であるように、カバー部材３０を形成する。そのため、図５に示すように、窪み底面３２とカバー本体３５との接合位置である境界部３９は、窪み底面３２と側面３３との接合位置である境界部３８に対して、水平面１００に垂直な鉛直方向において、より下側の位置にある。
【００３７】
図６は、図５に示すカバー部材の突起部に液滴が浸入する例を示す断面図である。カバー部材３０が図５を参照して説明したように配置され、突起部３１が図５に示す形状に形成されることにより、窪み底面３２は、水平面１００に対して正の角度（α−β）を有する。窪み底面３２は、水平面１００に対して、角度（α−β）を形成して傾斜している。窪み底面３２の傾斜の上側に境界部３８が配置され、窪み底面３２の傾斜の下側に境界部３９が配置されている。窪み底面３２がカバー本体３５と直接連接される境界部３９が、水平面１００に対して傾斜して配置された窪み底面３２の傾斜の最も下側に位置するように、カバー部材３０は配置されている。
【００３８】
このように配置されたカバー部材３０の外面３６へ、矢印Ｆ１に示すように液滴５１が落下して、カバー部材３０の外面３６が一部窪んだ窪みの内部に浸入した場合を考える。このような場合でも、矢印Ｆ２に示すように、窪みに浸入した液滴５２は水平面１００に対して傾斜した窪み底面３２に沿って流れ、境界部３９を経て窪みから排出される。窪みの外部へ流出した液滴５３は、水平面１００に対する傾斜のさらに大きいカバー本体３５に沿って、矢印Ｆ３に示すように流れる。つまり、窪みに浸入した液滴５２は、重力の作用によって自然に窪みから排出され、窪みの内部に長時間滞留することがない。
【００３９】
塩水などの腐食性を有する液体が滞留して鋼板製のカバー部材３０の特定箇所に長時間接触し続けると、当該特定箇所が腐食してカバー部材３０に孔が形成され、その孔を経由してＰＣＵ１の筐体２０の内部に腐食液が浸入する可能性があるので望ましくない。本実施の形態のカバー部材３０は、上述したように、カバー本体３５の外面に形成された窪みから速やかに腐食液を排出することができるので、カバー部材３０の腐食の発生を抑制することができる。したがって、より超寿命で信頼性の高いカバー部材３０を提供することができる。
【００４０】
図５および図６に示す窪み底面３２は、平板状の形状を有しているが、本実施の形態の窪み底面３２の形状は平板状に限られるものではない。たとえば、窪み底面３２は、互いに屈曲する複数の平板が組み立てられた形状を有してもよく、放物面などの湾曲形状を有してもよい。
【００４１】
この場合、傾斜したカバー本体３５の傾斜の上側において窪み底面３２とカバー本体３５との形成する角度が小さく、傾斜の下側において窪み底面３２とカバー本体３５との形成する角度が段階的に大きくなるように、窪み底面３２を形成する。曲面形状の窪み底面３２の場合、窪み底面３２の接平面とカバー本体３５との形成する角度が境界部３９へ近づくにつれて単調増加するように形成すればよい。また、窪み底面３２とカバー本体３５との形成する最大角度を、カバー本体３５が水平面１００に対して傾斜する角度αよりも小さくする。このようにすれば、窪みから腐食液が自然に流れ出る形状にすることができ、窪み内に腐食液が滞留することを防止することができる。
【００４２】
以上のように本発明の実施の形態について説明を行なったが、今回開示された実施の形態はすべての点で例示であって、制限的なものではないと考えられるべきである。この発明の範囲は上記した説明ではなくて請求の範囲によって示され、請求の範囲と均等の意味、および範囲内でのすべての変更が含まれることが意図される。
【符号の説明】
【００４３】
１  ＰＣＵ、２０  筐体、２１  表面、２２  開口部、３０  カバー部材、３１  突起部、３２  窪み底面、３３  側面、３５  カバー本体、３６  外面、３７  内面、３８，３９  境界部、４０  ヒューズ収容空間、４１  ヒューズ、４２，４３  接続部、４４，４５  取付ボルト、４６，４７  端子、５１，５２，５３  液滴、１００  水平面。
【図１】
2012070146.tif 000003
【図２】
2012070146.tif 000004
【図３】
2012070146.tif 000005
【図４】
2012070146.tif 000006
【図５】
2012070146.tif 000007
【図６】
2012070146.tif 000008
【手続補正書】
【提出日】平成23年12月16日(2011.12.16)
【手続補正１】
【補正対象書類名】特許請求の範囲
【補正対象項目名】全文
【補正方法】変更
【補正の内容】
【特許請求の範囲】
【請求項１】
表面（２１）を有する筐体（２０）を備え、前記筐体（２０）の内部に空間（４０）が形成されており、前記空間（４０）は前記表面（２１）に形成された開口部（２２）において前記筐体（２０）の外部と連通し、さらに、
前記開口部（２２）を覆う金属製のカバー部材（３０）と、
前記空間（４０）内に収容された過電流防止用のヒューズ（４１）と、を備え、
前記カバー部材（３０）は、前記開口部（２２）を閉塞させるカバー本体（３５）と、前記カバー本体（３５）に対して前記空間（４０）の内部へ突起する突起部（３１）と、を含み、
前記ヒューズ（４１）を前記空間（４０）内に適切に組み付けたとき、前記カバー部材（３０）と前記ヒューズ（４１）との間の絶縁距離が確保され、前記ヒューズ（４１）を前記空間（４０）内で誤って組み付けたとき、前記突起部（３１）が前記ヒューズ（４１）と干渉して前記カバー部材（３０）を前記筐体（２０）に取り付けできなくする、電気機器（１）。
【請求項２】
前記カバー本体（３５）と前記突起部（３１）とは、金属製の一体成形品である、請求の範囲第１項に記載の電気機器（１）。
【請求項３】
前記カバー本体（３５）は、平板状に形成されており、
前記突起部（３１）は、前記カバー本体（３５）の外面（３６）側から内面（３７）側へ窪んで形成されている、請求の範囲第２項に記載の電気機器（１）。
【請求項４】
前記筐体（２０）は、前記表面（２１）が水平面（１００）に対して第一の角度（α）を有して傾斜するように配置されており、
前記突起部（３１）は、前記カバー本体（３５）の前記外面（３６）側から前記内面（３７）側へ窪む窪み形状の底面を構成する窪み底面（３２）を有し、
前記窪み底面（３２）は、前記筐体（２０）の傾斜の下側で前記カバー本体（３５）と接合し、前記カバー本体（３５）に対して第二の角度（β）を有して傾斜しており、
前記第二の角度（β）は、前記第一の角度（α）よりも小さい、請求の範囲第３項に記載の電気機器（１）。
【手続補正２】
【補正対象書類名】明細書
【補正対象項目名】０００２
【補正方法】変更
【補正の内容】
【０００２】
特許文献３：実開平５−１１４２１号公報
特許文献４：特開２００４−４８８５８号公報
発明の概要
発明が解決しようとする課題
［０００５］
電気回路に定格以上の電流が流れヒューズが溶断した後に電気回路を再起動するためには、溶断したヒューズを交換する必要がある。このヒューズの交換は、電気機器に設けられたヒューズを収容するための収容空間から溶断したヒューズを取り外し、新品のヒューズを当該収容空間に取り付けることにより、行なわれる。このとき、新品のヒューズが、収容空間内に誤って上下逆に組み付けられてしまう場合がある。
［０００６］
ヒューズの収容空間を覆うカバーが設けられている場合、ヒューズが逆姿勢で組みつけられてしまうと、カバーとヒューズとの間の空間絶縁距離が確保できなくなり、短絡してしまう問題があった。
［０００７］
本発明は上記の問題に鑑みてなされたものであり、その主たる目的は、ヒューズの誤取付を防止できる電気機器を提供することである。
課題を解決するための手段
［０００８］
本発明に係る電気機器は、表面を有する筐体を備える。筐体の内部に空間が形成されており、空間は表面に形成された開口部において筐体の外部と連通する。電気機器はさらに、開口部を覆う金属製のカバー部材と、空間内に収容された過電流防止用のヒューズと、を備える。カバー部材は、開口部を閉塞させるカバー本体と、カバー本体に対して空間の内部へ突起する突起部と、を含む。ヒューズを空間内に適切に組み付けたとき、カバー部材とヒューズとの間の絶縁距離が確保され、ヒューズを空間内で誤って組み付けたとき、突起部がヒューズと干渉してカバー部材を筐体に取り付けできなくする。
［０００９］
上記電気機器において好ましくは、カバー本体と突起部とは、金属製の一体成形品である。
［００１０］
上記電気機器において好ましくは、カバー本体は、平板状に形成されており、突起部は、カバー本体の外面側から内面側へ窪んで形成されている。
［００１１］
上記電気機器において好ましくは、筐体は、表面が水平面に対して第一の
【国際調査報告】
2012070146.tif 000009
2012070146.tif 000010